(57)【要約】【課題】強磁性体に対して簡単に着脱可能な中空構造板を提供すること。【解決手段】立壁により隔てられた中空部が複数形成された熱可塑性樹脂からなる中空構造部を少なくとも有し、少なくとも１以上の前記中空部内に磁石を有する、中空構造板を提供する。前記中空構造板は、磁束密度が、０．０５〜０．４５Ｔであってもよい。また、前記磁石の前記中空部内の体積に占める体積比率は、１０〜８５％であってもよい。更に、前記磁石を有する前記中空部同士の間隔が、３〜２５００ｍｍであってもよい。【選択図】図１
2019206871.tif 000002
【特許請求の範囲】
【請求項１】
立壁により隔てられた中空部が複数形成された熱可塑性樹脂からなる中空構造部を少なくとも有し、
少なくとも１以上の前記中空部内に磁石を有する、中空構造板。
【請求項２】
磁束密度が、０．０５〜０．４５Ｔである、請求項１に記載の中空構造板。
【請求項３】
前記磁石の前記中空部内の体積に占める体積比率が、１０〜８５％である、請求項１又は２に記載の中空構造板。
【請求項４】
前記磁石を有する前記中空部同士の間隔が、３〜２５００ｍｍである、請求項１から３のいずれか１項に記載の中空構造板。
【発明の詳細な説明】
【技術分野】
【０００１】
本発明は、中空構造板に関する。より詳しくは、強磁性体に対して簡単に着脱可能な中空構造板に関する。
【背景技術】
【０００２】
樹脂製の中空構造板は、軽量で、かつ、耐薬品性、耐水性、断熱性、遮音性及び復元性に優れ、取り扱いも容易であることから、箱材や梱包材などの物流用途、壁や天井用のパネル材などの建築用途、更には、自動車用途などの幅広い分野に使用されている。例えば、特許文献１には、所定の間隔を隔てて平行に配置された合成樹脂素材製の２枚のシートの間に、所定のピッチで凹凸波形が繰り返された合成樹脂素材製の波形部材が挟持された状態の中空構造板が開示されている。
【先行技術文献】
【特許文献】
【０００３】
【特許文献１】特開２００３−１７０５１５号公報
【発明の概要】
【発明が解決しようとする課題】
【０００４】
しかしながら、これらの中空構造板は、磁性を有せず、磁力を用いて他の部材に固定することが不可能であった。
【０００５】
そこで、本発明では、このような実情に鑑み、強磁性体に対して簡単に着脱可能な中空構造板を提供することを主目的とする。
【課題を解決するための手段】
【０００６】
すなわち、本発明では、立壁により隔てられた中空部が複数形成された熱可塑性樹脂からなる中空構造部を少なくとも有し、少なくとも１以上の前記中空部内に磁石を有する、中空構造板を提供する。
また、本発明に係る中空構造板は、磁束密度が、０．０５〜０．４５Ｔであってもよい。
更に、本発明では、前記磁石の前記中空部内の体積に占める体積比率が、１０〜８５％であってもよい。
加えて、本発明では、前記磁石を有する前記中空部同士の間隔が、３〜２５００ｍｍであってもよい。
【０００７】
ここで、本発明で使用する技術用語について定義付けを行う。
本発明において、「磁石」とは、二つの極（磁極）を持ち、双極性の磁場を発生させる源となる物体のことであり、「強磁性体」とは、磁石にくっつく物質のことであり、磁石もこの強磁性体に含まれる。
【発明の効果】
【０００８】
本発明によれば、強磁性体に対して簡単に着脱可能な中空構造板を提供することができる。
なお、ここに記載された効果は、必ずしも限定されるものではなく、本開示中に記載されたいずれかの効果であってもよい。
【図面の簡単な説明】
【０００９】
【図１】本発明に係る中空構造板１の第１実施形態の構造を模式的に示す断面図である。
【図２】Ａは、本発明に係る中空構造板１の第２実施形態の構造を模式的に示す斜視図であり、Ｂは、Ａの矢印方向から視た場合の模式図であり、Ｃは、ＢのＰ−Ｐ線端面図である。
【図３】本発明に係る中空構造板１の第３実施形態の構造を模式的に示す斜視図である。
【図４】本発明に係る中空構造板１の第４実施形態の構造を模式的に示す斜視図である。
【図５】本発明に係る中空構造板１の製造方法の一例を示す概念図である。
【図６】実施例における吸着力の評価方法を示す概念図である。
【発明を実施するための形態】
【００１０】
以下、本発明を実施するための好適な形態について、図面を参照しながら詳細に説明する。
なお、以下に説明する実施形態は、本発明の代表的な実施形態の一例を示したものであり、これにより本発明の範囲が狭く解釈されることはない。
【００１１】
１．中空構造板１
図１は、本発明に係る中空構造板１の第１実施形態の構造を模式的に示す断面図である。本発明に係る中空構造板１は、立壁により隔てられた中空部２１が複数形成された熱可塑性樹脂からなる中空構造部２を少なくとも有し、少なくとも１以上の中空部２１内に磁石２１１を有する。また、本発明に係る中空構造板１は、必要に応じて、後述する表面材３や表皮材等を有していてもよい。
【００１２】
中空構造板１の目付は特に限定されないが、２００〜６０００ｇ／ｍ2とすることが好ましく、３００〜２０００ｇ／ｍ2とすることがより好ましく、４００〜１８００ｇ／ｍ2とすることが特に好ましい。これにより、中空構造板１の軽量化を図ることができる。
【００１３】
中空構造板１の厚みも特に限定されないが、１．５〜５５ｍｍとすることが好ましい。１．５ｍｍ以上とすることにより、中空構造板１の厚みが薄くなり過ぎることを防ぎ、曲げ剛性が保持された中空構造板１を作製できる。また、５５ｍｍ以下とすることにより、中空構造部２における中空部２１の高さを制御でき、中空部２１の側壁の厚みがドラフトされて薄くなり過ぎることを防げるため、変形（座屈）が発生しにくい中空構造板１を作製できる。
【００１４】
＜中空構造部２＞
中空構造部２は、立壁により隔てられた中空部２１が複数形成された熱可塑性樹脂からなる。また、中空構造部２には、後述する表面材３や表皮材等が積層されていてもよい。
【００１５】
本発明では、中空構造部２において、少なくとも１以上の中空部２１内に磁石２１１を有することを特徴とする。これにより、強磁性体に対して簡単に着脱可能な中空構造板１を提供することができる。また、例えば、強磁性体を含む材質からなる、フスマ、建具、間仕切り、壁、家具、車両やコンテナなどの内装等に対して、中空構造板１を容易に着脱することができる。
【００１６】
磁石２１１の種類としては、例えば、等方性フェライト、異方性フェライト、ネオジウム、サマリウムコバルト、アルニコ、プラスチックマグネット等が挙げられる。本技術では、これらの中から１種又は２種以上適宜選択して用いることができる。
【００１７】
また、本発明において、磁石２１１の形状は特に限定されず、様々な形状を適宜選択して用いることができる。
【００１８】
更に、磁石２１１は、図１に示すように、中空部２１内に、接着剤等により直接固定されていてもよいが、本発明では、図２〜４に示すように後述する表面材３や表皮材を積層することで、中空部２１内に磁石２１１を入れることが好ましい。このような構成を採用することで、中空構造板１の製造効率を向上させることができる。なお、この場合、磁石２１１は、中空部２１の壁面や、表面材３、表皮材等に直接固定されていなくてもよい。また、中空構造部２に表面材３や表皮材を積層した場合、表面材３や表皮材と中空部２１の間には隙間が空いていてもよい。
【００１９】
本発明では、中空構造板１の磁束密度が、０．０５〜０．４５Ｔであることが好ましい。これにより、磁力による吸着を最適にすることができ、着脱を更に容易に行うことができる。なお、本明細書において、「磁束密度」とは、一定の面積に集まっている磁力線の数の密度である。
【００２０】
本発明では、磁石２１１の中空部２１内の体積に占める体積比率が、１０〜８５％であることが好ましい。体積比率が１０％未満であると、十分な吸着力を保持できない。また、体積比率が８５％を超えると、中空部２１内に占める磁石の比率が大きくなり、成形時の内圧が高くなってしまう。このため、例えば、中空部２１の底面側に後述する表面材３や表皮材を積層する場合などには、該表面材３及び／又は表皮材が膨張してしまい、表面の平滑性が保持できなくなる。
【００２１】
また、本発明では、磁石２１１を有する中空部２１同士の間隔Ｉ（図２のＢ参照）が、３〜２５００ｍｍであることが好ましい。これにより、磁力の局所的な偏りを無くすことができる。
【００２２】
更に、磁石２１１は、中空部２１の全てに入れると、磁石２１１同士が引き合って中空構造部２１の形状を保持できない場合もあるため、本発明では、間隔を隔てて磁石２１１を配置することが好ましく、図２に示すように、１の中空部２１に磁石２１１を配置した場合、その周囲の中空部２１には磁石２１１を配置しないようにすることがより好ましい。
【００２３】
中空構造部２において仮想される水平面と立壁とがなす角度（傾斜角）θ１（図１参照）は特に限定されないが、中空構造板１の外側から荷重をかけた際に、十分な強度を得るため、立壁に傾斜角を有する方が好ましい。また、傾斜角θ１は、４５°以上とすることが好ましい。傾斜角θ１を４５°以上とすることにより、更に十分な強度が得られる。また、傾斜角θ１は、８０°未満とすることが好ましい。傾斜角θ１を８０°未満とすることにより、中空構造部２を真空形成した場合等において、中空構造部２の厚みが薄くなり過ぎることを防ぎ、かつ、立壁のフィルム化も防止できるため、十分な強度が得られる。
【００２４】
また、傾斜角θ１は、５０°以上７５°未満とすることがより好ましい。これにより、中空構造板１の剛性を高めることができる。また、座屈等による変形を防ぎ、中空構造板１の形状保持性を向上させることができる。なお、本発明に係る中空構造板１において、傾斜角θ１は、常に一定でなくてもよく、中空部２１が中心軸に対して非対称な形状であってもよい。
【００２５】
立壁の高さｈ（図１参照）は特に限定されないが、１ｍｍ以上とすることが好ましい。立壁の高さｈを１ｍｍ以上とすることにより、剛性が高い中空構造板１を得ることができる。また、立壁の高さｈは、５０ｍｍ以下とすることが好ましい。立壁の高さｈを５０ｍｍ以下とすることにより、中空部２１の側壁部分が薄くなり過ぎるのを防ぎ、中空構造部２の変形（座屈）を防ぐことができる。
【００２６】
立壁の厚みも特に限定されないが、０．１ｍｍ以上とすることが好ましい。立壁の厚みを０．１ｍｍ以上とすることにより、座屈等の変形を防ぎ、中空構造板１の形状保持性を向上させることができる。
【００２７】
また、本発明では、立壁の途中に段差を設けたり、立壁の途中にウェーブを設けたりすることもできる。
【００２８】
中空構造部２の材質は、熱可塑性樹脂であれば特に限定されず、通常、中空構造板に用いることが可能な熱可塑性樹脂を、１種又は２種以上適宜選択して用いることができる。
【００２９】
前記熱可塑性樹脂としては、例えば、ポリエチレン（ＰＥ）、ポリプロピレン（ＰＰ）、ポリスチレン（ＰＳ）、ポリウレタン、ポリカーボネート（ＰＣ）、ポリメチルメタクリレート（ＰＭＭＡ）、ポリアセタール（ＰОＭ）等が挙げられる。
【００３０】
中空構造部２の材質としては、これらの中でも特に、加工性、コスト、重量及び物性の観点から、低密度ポリエチレン、高密度ポリエチレン（ＨＤＰＥ）、直鎖状低密度ポリエチレン、超低密度ポリエチレン、ポリプロピレンホモポリマー、ポリプロピレンランダムコポリマー、ポリプロピレンブロックコポリマー等のオレフィン系樹脂が好ましい。また、本発明では、更に高い剛性を得るため、ＡＢＳ樹脂、ポリカーボネート等のエンジニアリング・プラスチックを用いることもできる。
【００３１】
中空構造部２の目付は特に限定されないが、１５０ｇ／ｍ2以上とすることが好ましい。目付を１５０ｇ／ｍ2以上とすることにより、中空部２１を良好に成形することができる。
【００３２】
本発明では、中空構造部２や後述する表面材３を形成する熱可塑性樹脂には、タルク、マイカ、炭酸カルシウムなどのフィラー、ガラス繊維、アラミド繊維、炭素繊維等のチョップドストランド等を添加してもよい。
【００３３】
また、本発明では、中空構造部２や後述する表面材３を形成する熱可塑性樹脂には、難燃性、導電性、濡れ性、滑り性、耐候性などを向上させるための改質剤や顔料等の着色剤等を添加してもよい。
【００３４】
なお、中空構造部２や後述する表面材３は、同一の材料で形成されていてもよく、熱融着可能な範囲で相互に異なる材料で形成されていてもよい。
【００３５】
中空構造部２の構造は特に限定されないが、少なくとも一方の面に中空状の凸部（＝中空部２１）が複数形成された１枚の熱可塑性樹脂シートからなる構造（図１〜３参照）、又はハニカム構造の中空部２１が複数形成された熱可塑性樹脂シートからなる構造（図４参照）が好ましく、少なくとも一方の面に中空状の凸部が複数形成された１枚の熱可塑性樹脂シートからなる構造がより好ましい。
【００３６】
また、本発明では、熱可塑性樹脂シートの一部に流路が存在する構造を採用することもできる。なお、本発明において、この流路の形状、断面の構造、流路の形成方向等は特に限定されない。
【００３７】
前記凸部は、図１に示すように、少なくとも上面部２１２及び開口部２１３を有していれば、その形態は特に限定されず、適宜自由に設計することができる。具体的には、例えば、図１及び２で示した円錐台形状又は楕円錐台形状、図３で示した三角錐台形状、四角錐台形状、五角錐台形状等の多角錐台形状、更には、円柱形状、楕円柱形状、多角柱形状、多角星柱形状、多角星錐台形状など様々な形状に設計することができる。また、これらの形状を組み合わせて設計してもよい。
【００３８】
本発明では、後述する表面材３や表皮材が中空構造部２に積層された際に、起点を少なくしてこれらからの剥離強度を向上させるため、図３で示したように、多角錐台形状や多角柱形状等の角を丸く設計してもよい。
【００３９】
本発明では、これらの中でも特に、前記凸部を、円錐台形状、楕円錐台形状又は多角錐台形状に設計することが好ましい。これにより、製造工程における設計を容易化できることに加え、金型を用いて前記凸部を成形する際には、金型の製造コストを削減することもできる。
【００４０】
また、本発明では、前記凸部を、円錐台形状又は楕円錐台形状に設計することがより好ましい。これにより、中空構造板１の曲げ剛性を向上させることができると共に、圧縮強度を保持させることができる。
【００４１】
更に、本発明では、前記凸部を、楕円錐台形状又は円錐台形状に設計した場合、上面部２１２の径の長さは特に限定されないが、１〜１０ｍｍとすることが好ましい。これにより、中空構造板１の厚さ方向における圧縮強度を向上させることができる。
【００４２】
また、本発明では、前記凸部を、楕円錐台形状又は円錐台形状に設計した場合、開口部２１３の径の長さは特に限定されないが、３〜１５ｍｍとすることが好ましい。これにより、中空構造板１の厚さ方向における圧縮強度を向上させることができる。
【００４３】
本発明では、前記凸部は、全て同一の形態であってもよいし、２種以上の形態を自由に選択して組み合わせてもよい。また、本発明では、前記凸部の途中に段差を設けたり、前記凸部の途中にウェーブを設けたりすることもできる。
【００４４】
前記凸部の配列形態は特に限定されず、例えば、前記凸部を四角格子状、千鳥状、又は不規則に配列させることができる。なお、本明細書では、千鳥状に配置させることには、図３に示すように、所定の基準方向に沿って視たときに、隣接する前記凸部同士が互い違うように配置される状態も含まれるものとする。
【００４５】
また、前記凸部を千鳥状に配列させた場合、横方向の中空部２１の中心同士を結んだ線と斜め方向の中空部２１の中心同士を結んだ線とがなす角度θ２（図２のＢ参照）は特に限定されないが、θ２＝６０°とすることが好ましい。これにより、中空構造板１の剛性を向上できる。なお、「四角格子状」とは、θ２＝９０°とした場合の配列を意味する。
【００４６】
中空部２１の開口部２１２間の最短距離Ｌも特に限定されないが、０．２〜８ｍｍとすることが好ましい。最短距離Ｌを０．２ｍｍ以上とすることにより、ライナー部（中空部２１を一定の方向から視た際に、中空部２１が存在しない部分）の厚みが薄くなり過ぎることを防げるため、圧縮強度の低下を回避できる。また、最短距離Ｌを８ｍｍ以下とすることにより、中空部２１間の距離が長くなり過ぎて単位面当たりの中空部２１の数が減りすぎることを回避できるため、中空構造板１の曲げ剛性を一定以上に保つことができる。なお、本発明に係る中空構造板１において、最短距離Ｌは、常に一定でなくてもよい。
【００４７】
本発明では、前述した少なくとも一方の面に中空状の凸部が複数形成された１枚の熱可塑性樹脂シートからなる構造とは、より具体的には、例えば、図１〜３で示したように、一方の面に錐台形状の凸部が複数形成された１枚の熱可塑性樹脂シートからなる構造とすることができる。この構造を採用することで、平面圧縮強度を保持しつつ、加工性にも優れた中空構造板１を提供できる。なお、この構造の中空構造板１は、例えば、後述する図５に示す製造方法等により製造することができる。
【００４８】
＜表面材３＞
本発明に係る中空構造板１は、必要に応じて、表面材３を有していてもよい。表面材３は、中空構造部２に積層される。なお、本発明では、この表面材３に対し、後述する表皮材等が積層されていてもよい。
【００４９】
表面材３の厚みは特に限定されないが、０．１〜１．５ｍｍとすることが好ましい。０．１ｍｍ以上とすることで、中空構造板１の剛性を保持することができる。また、１．５ｍｍ以下とすることで、中空構造板１の磁束密度を一定以上にすることができ、吸着力を保持できる。
【００５０】
表面材３の目付は特に限定されないが、１００ｇ／ｍ2以上とすることが好ましい。目付を１００ｇ／ｍ2以上とすることにより、中空構造部２に表面材３を積層する際に、表面材３１が薄くなり過ぎて破けることを防止できる。
【００５１】
表面材３の材質は熱可塑性樹脂であれば特に限定されず、通常、中空構造板に用いることが可能な熱可塑性樹脂を、１種又は２種以上適宜選択して用いることができる。なお、熱可塑性樹脂の具体例は前述したものと同様であるため、ここでは説明を割愛する。
【００５２】
表面材３の材質としては、これらの中でも特に、加工性、コスト、重量及び物性の観点から、低密度ポリエチレン、高密度ポリエチレン（ＨＤＰＥ）、直鎖状低密度ポリエチレン、超低密度ポリエチレン、ポリプロピレンホモポリマー、ポリプロピレンランダムコポリマー、ポリプロピレンブロックコポリマー等のオレフィン系樹脂が好ましい。また、本発明では、更に高い剛性を得るため、ＡＢＳ樹脂、ポリカーボネート等のエンジニアリング・プラスチックを用いることもできる。
【００５３】
本発明では、表面材３を複数有していてもよく、この場合、複数の表面材３の厚みは同一としてもよいし、異なるものであってもよい。また、各表面材を、同一の材質で形成してもよいし、異なる材質で形成してもよい。
【００５４】
＜表皮材＞
本発明に係る中空構造板１は、必要に応じて、表皮材を有していてもよい。表皮材は、中空構造部２及び／又は表面材３に積層される。すなわち、表皮材は、中空構造部２に直接積層されていてもよいし、表面材３に更に積層されていてもよい。これにより、中空構造板１に対し、意匠性、吸音特性、断熱性などの各種用途に応じた特性を付与することができる。
【００５５】
表皮材の材質は特に限定されず、通常、中空構造板の表皮材として用いることができる材料を、目的の用途などに応じて、適宜自由に選択して用いることができる。具体的には、例えば、熱可塑性樹脂シート、樹脂製の織布、不織布、組布、編み物、ステンレス、アルミニウム、銅等からなる金属シート、有機系又は無機系多孔質シート、化粧シート等が挙げられる。また、複数の同種又は異種のシートを積層した積層シート等を表皮材として用いることも可能である。
【００５６】
本発明では、表皮材を複数有していてもよく、この場合、複数の表皮材の厚みは同一としてもよいし、異なるものであってもよい。また、各表皮材を、同一の材質で形成してもよいし、異なる材質で形成してもよい。
【００５７】
２．中空構造板１の製造方法
本発明に係る中空構造板１は、その構成に特徴があるため、製造方法は特に限定されない。すなわち、本発明に係る中空構造板１の製造には、通常、中空構造板を製造する際に用いられる方法を、適宜自由に選択して用いることができる。なお、図５において、矢印ｊは中空構造板１の流れ方向を示す。
【００５８】
図５は、本発明に係る中空構造板１の製造方法の一例を示す概念図である。図５で示した製造方法では、まず、溶融状態の熱可塑性樹脂Ｐを、金型Ｄ１、Ｄ２で両側からプレスすることにより、中空構造部２を製造する。次に、中空部２１に磁石２１１を配置する。そして、先端にＴダイ１０１が設けられた押出機１０２から、熱可塑性樹脂を押し出してシート状にした表面材３を、加熱手段が設けられたローラーＲを用いて熱融着により中空構造部２に積層し、本発明に係る中空構造板１を製造する。
【実施例】
【００５９】
以下、実施例に基づいて本発明を更に詳細に説明する。
なお、以下に説明する実施例は、本発明の代表的な実施例の一例を示したものであり、これにより本発明の範囲が狭く解釈されることはない。
【００６０】
１．試験方法及び試験結果
まず、以下の表１に示す実施例１〜６の中空構造板を作製した。実施例１〜６の中空構造板は、図２で示した構造を図５で示した製造方法により作製した。
【００６１】
【表１】
2019206871.tif 000003
【００６２】
なお、表１中、ＰＰはポリプロピレンを示し、ＰＣはポリカーボネートを示す。
【００６３】
次に、各中空構造板において、以下の評価を行った。また、以下の評価結果は、表１に併記した。
【００６４】
［磁束密度の測定］
テスラメータ（カネテック社製、型番：ＴＭ−８０１）を用いて中空構造板の磁束密度を測定した。
測定はＮ＝３で行い、表１には、平均値を記載した。
【００６５】
［吸着力の評価］
図６に示すような引っ張り冶具を用いて、引っ張り試験を行い、評価した。より具体的には、図６に示すように、鉄板と中空構造板を設置し、矢印の方向に引っ張り吸着力を測定した。なお、ここで用いた鉄板は、中空構造板よりも十分に厚みのあるものを使用した。
測定条件：０．５ｋｇセル、セル速度：２０ｍｍ／ｍｉｎ
中空構造板のサイズ：１００×１５０ｍｍ
鉄板のサイズ：１５０×２００ｍｍ
中空構造板と鉄板の接触サイズ：１００×１００ｍｍ
測定はＮ＝３で行い、表１には、最小値を記載した。
【００６６】
［保持性の評価］
前述した吸着力の評価において、鉄板を垂直に立て、３秒後に該鉄板に保持していた中空構造板を「Ａ」、保持せず該鉄板から落下した中空構造板を「Ｂ」と評価した。
【００６７】
［総合評価］
吸着力の評価において、０．０５〜５０ｋｇの吸着力の範囲であって、保持性の評価が「Ａ」であった中空構造板について、総合評価を「Ａ」、それ以外の場合を「Ｂ」と評価した。
【００６８】
２．考察
実施例１〜６の中空構造板は、いずれも磁力による吸着力を有していた。また、これらの中でも特に、実施例１〜４の中空構造板は、適度な吸着力を有しつつも、適度な保持性を有しており、強磁性体に対してより簡単に着脱することが可能であることが分かった。
【産業上の利用可能性】
【００６９】
本発明によれば、強磁性体に対して簡単に着脱可能な中空構造板を提供することができる。そのため、本発明に係る中空構造板は、強磁性体を含む材質からなる、フスマ、建具、間仕切り、壁、家具、車両やコンテナなどの内装等に対して、容易に着脱することができ、物流用途、建築用途、自動車用途などの各種用途に適用することができる。
【符号の説明】
【００７０】
１：中空構造板
２：中空構造部
２１：中空部
２１１：磁石
２１２：上面部
２１３：開口部
３：表面材
１０１：Ｔダイ
１０２：押出機
Ｒ：加熱手段が設けられたローラー
Ｄ１、Ｄ２：金型
Ｐ：溶融状態の熱可塑性樹脂
θ１：中空部２１の開口部２１２から仮想される水平面と中空部２１とがなす角度
θ２：横方向の中空部２１の中心同士を結んだ線と斜め方向の中空部２１の中心同士を結んだ線とがなす角度
ｈ：立壁の高さ
Ｌ：中空部２１の開口部２１２間の最短距離
Ｉ：磁石２１１を有する中空部２１同士の間隔
ｊ：中空構造板１の流れ方向
【図１】
2019206871.tif 000004
【図２】
2019206871.tif 000005
【図３】
2019206871.tif 000006
【図４】
2019206871.tif 000007
【図５】
2019206871.tif 000008
【図６】
2019206871.tif 000009